(57)【要約】      （修正有）【課題】双方向での使用が可能で、且つ破損を減らすことが出来る、草刈機の構造を提供する。【解決手段】少なくとも一つの回転体１と、回転体中央に設けられた少なくとも一つの軸心部１１と、回転体辺縁に設けられた少なくとも一つの枢設部１２と、３６０度自由回転するよう枢設部に枢設された少なくとも一つのカッター２とからなる。カッターの両側にはいずれも刃部２１が設けられる。回転体が回転した時、カッターは、遠心力によって回転体辺縁から突出して雑草等を切除する。カッターが硬い物にぶつかった時には、枢設部と軸心部の間の方向へ振り動かされるため、カッターの破損が少なくなる。加えて、カッターは３６０度の自由回転が可能なため、接触衝突の発生を避けることが出来る。更に、カッターの両側にはいずれも刃部が設けられているため、正回転或は逆回転のいずれの場合でも草刈作業が可能である。【選択図】図２
0003201563.tif 000002
【実用新案登録請求の範囲】
【請求項１】
少なくとも一つの回転体と、少なくとも一つの軸心部と、少なくとも一つの枢設部と、少なくとも一つのカッターとからなる、草刈機の構造であって、
前記軸心部は、前記回転体の中央に設けられ、
前記枢設部は、前記回転体の辺縁に設けられ、
前記カッターは、３６０度自由回転するように前記枢設部に枢設され、
前記枢設部と前記軸心部の距離は、前記カッターの長さよりも長いことを特徴とする、草刈機の構造。
【請求項２】
前記カッターにおける相対する両側には、いずれも刃部が設けられるとともに、前記カッターは金属・繊維強化プラスチック・非金属の中のいずれか一つからなることを特徴とする、請求項１に記載の草刈機の構造。
【請求項３】
前記カッターは、複数個設けられるとともに、前記カッターの位置は互いに対応することを特徴とする、請求項１に記載の草刈機の構造。
【請求項４】
前記回転体は、長板状、或は円盤状のいずれか一つを呈することを特徴とする、請求項１に記載の草刈機の構造。
【請求項５】
前記軸心部は、少なくとも一つの動力装置と連結されて回転し、
前記動力装置は、必要に応じて正回転、或は逆回転することを特徴とする、請求項１に記載の草刈機の構造。
【請求項６】
前記回転体の側辺には、前記回転体と連動する少なくとも一つの防護ケースが選択的に設けられ、
前記防護ケースの辺縁には、前記カッターが３６０度自由回転するための回避スペースが少なくとも一つ設けられるとともに、前記防護ケースには、前記カッターを固定するための作業用孔が前記カッターと対応するように形成されることを特徴とする、請求項１に記載の草刈機の構造。
【考案の詳細な説明】
【技術分野】
【０００１】
本考案は、草刈機に関し、特に、双方向での使用が可能で、且つ破損を減らすことが出来る、草刈機の構造に関する。
【背景技術】
【０００２】
芝生をきれいに保ったり素早く除草したりするといった目的のために、様々な種類の従来の固定型除草機が市販されている。従来の固定型除草機は、まず少なくとも一つの刈刃が回転盤に固定されるとともに、モーターが回転盤を回転させることによって刈刃が回転するものであり、更に回転している刈刃を刈りたい植物の方向へ移動させて使用する。しかし、回転中の刈刃が小石等の硬い物にぶつかった時、刈刃と回転盤が固定されており、ぶつかった際の衝撃力が部分的に軽減されずに全て直接伝わってしまうため、刈刃が破損してしまうことがある。
【考案の概要】
【考案が解決しようとする課題】
【０００３】
よって、本考案者は上記の欠点に鑑み、関連する情報を集めるとともに、多方面での評価と勘案、及びこの業種での長年にわたる経験の蓄積に基づき、試作と修正を繰返して、双方向での使用が可能で且つ破損が少ない、本考案の草刈機の構造を考案した。
【０００４】
本考案は、ぶつかった時の衝撃力を軽減して破損率を下げることが出来る、草刈機の構造を提供することを目的とする。
【０００５】
また、本考案は、正逆回転が可能で使用者が操作しやすい、草刈機の構造を提供することを目的とする。
【課題を解決するための手段】
【０００６】
上述の目的を達成するために、本考案は、回転体と、軸心部と、枢設部と、カッターとからなる。回転体の中央には、軸心部が設けられるとともに、回転体辺縁には少なくとも一つの枢設部が設けられる。また、枢設部には、少なくとも一つのカッターが回転可能に枢設される。カッターの長さは枢設部と軸心部の距離よりも小さいため、カッターは３６０度の自由回転が可能であるとともに、カッターにおける相対する両側にはいずれも刃部が設けられる。本考案を使用する時は、まず、軸心部を動力装置と連結させてから、動力装置を作動させる。これに連動して回転体が回転するとともに、カッターが遠心力によって振り動かされて回転体辺縁から突出する。更に、本考案を刈取るべき雑草等の方へ動かすことで刈取作業を行う。また、使用中に誤ってカッターが石等の硬い物にぶつかってしまった時、動きを阻害されたカッターは、回転体の回転方向と異なる方向へ振り動かされて、軸心部と枢設部の間に戻るため、その他の物品と接触衝突することがない。よって、ぶつかって生じる衝撃力を軽減して破損を減らすことが出来る。加えて、動力装置が正回転、或は逆回転のいずれの場合でも、本考案は両側の刃部によって正常に草を刈取ることが可能であり、且つ逆回転、或は正回転してカッターが戻ることで硬い物を避けることが出来る。
【考案の効果】
【０００７】
以上の構造により、従来の固定型除草機における刈刃が破損しやすいという問題を解消し、双方向での使用が可能で且つ破損が少ないという、実用進歩性が達成される。
【図面の簡単な説明】
【０００８】
【図１】本考案の実施例１を示した概略図である。
【図２】本考案の実施例１を示した分解図である。
【図３】本考案の実施例１の正回転での使用を示した概略図である。
【図４】本考案の実施例１の正回転時における衝突を示した概略図である。
【図５】本考案の実施例１の逆回転での使用を示した概略図である。
【図６】本考案の実施例１の逆回転時における衝突を示した概略図である。
【図７】本考案の実施例２を示した概略図である。
【図８】本考案の実施例３を示した分解図である。
【図９】本考案の実施例３の取付を示した概略図である。
【考案を実施するための形態】
【０００９】
（実施例１）
図１、及び図２を参照する。図は、本考案の実施例１を示した概略図、及び分解図である。本考案は、少なくとも一つの回転体１と、少なくとも一つの軸心部１１と、少なくとも一つの枢設部１２と、少なくとも一つのカッター２とからなる。回転体１は、長板状、或は円盤状のいずれか一つを呈する。尚、実施例１において、回転体１は長板状を呈する。また、軸心部１１は回転体１の中央に設けられ、枢設部１２は回転体１の辺縁に設けられる。更に、カッター２は、３６０度の自由回転が可能なように回転体１に枢設されるとともに、枢設部１２と軸心部１１の間の距離がカッター２より長くなるように設けられる。これにより、カッター２は選択的に回転体１辺縁から突出するか、或は自由回転して軸心部１１と枢設部１２の間に収容されることにより接触や衝突を避けることが出来る。加えて、カッター２における相対する両側には、いずれも刃部２１が設けられ、且つカッター２は金属・繊維強化プラスチック・非金属の中のいずれか一つからなる。またカッター２が複数個設けられる場合には、互いに対応する位置に設けられる。尚、実施例１においては、二つのカッター２が互いに対応する位置に設けられる。
【００１０】
回転体１の軸心部１１は、少なくとも一つの動力装置（図示せず）と連結されて回転するとともに、動力装置は必要に応じて正回転、或は逆回転する。尚、上述の様態は本考案における実施例の一つであり、実施例はこれに限らない。
【００１１】
図１から図６までを参照する。図は、本考案の実施例１における、概略図・分解図・正回転での使用を示した概略図・正回転時における衝突を示した概略図・逆回転での使用を示した概略図・逆回転時における衝突を示した概略図である。回転体１の軸心部１１が動力装置に連動されて正回転した時、カッター２は遠心力を受けることで枢設部１２を中心に正回転して回転体１辺縁から振り出され、且つ回転体１と共に回転することで一側の刃部２１が雑草等を刈り取る。しかし、カッター２が石等の硬い物にぶつかってしまった時、カッター２は、一時的に軸心部１１と枢設部１２の間に向かうよう方向を変えて回転して内側へ引っ込む。これにより、カッター２と刃部２１が受ける衝撃が軽減され、且つ回転体１や別のカッター２と接触・衝突することがないため、破損の可能性を下げることが出来る。遠心力が衝撃力よりも大きくなった時、カッター２は再び正回転して外側へ振り出される。
【００１２】
逆に、動力装置が逆回転した時も同様に、カッター２は、枢設部１２を中心に逆回転して回転体１辺縁から振り出され、他側の刃部２１が雑草等を刈り取る。また、硬い物にぶつかってしまった時には、一時的に正回転に変わり軸心部１１と枢設部１２の間へ引っ込むことにより、カッター２と刃部２１が受ける衝撃を軽減する。遠心力が衝撃力よりも大きくなった時、カッター２は再び逆回転して回転体１辺縁から振り出される。以上により、双方向での使用が可能になり操作しやすくなる。
【００１３】
（実施例２）
図７を参照する。図は、本考案の実施例２を示した概略図である。実施例２は、前述した実施例とほぼ同様であるが、実施例２では単一のカッター２ａが設けられる点が異なっている。
【００１４】
（実施例３）
図８、及び図９を参照する。図は、本考案の実施例３を示した分解図、及び取付を示した概略図である。実施例３は、前述した実施例とほぼ同様であるが、実施例３では回転体１ｂ側辺に回転体１ｂと連動する少なくとも一つの防護ケース３ｂが選択的に設けられる点が異なっている。防護ケース３ｂ辺縁には、カッター２ｂが３６０度自由に回転するための回避スペース３１ｂが少なくとも一つ設けられることにより、回転体１ｂとカッター２ｂが保護されて、より安全に使用出来る。
【００１５】
このほか、防護ケース３ｂには、カッター２ｂと対応する作業用孔３２ｂが形成されることにより、工具等を差し入れて、カッター２を枢設固定する作業がより簡便になる。
【００１６】
以上により、本考案の草刈機の構造は、以下の点において従来技術を改善することが出来る。
一．回転体１・軸心部１１・枢設部１２・カッター２が互いに組合されることにより、本考案は破損を減らすという実用進歩性を達成する。
二．回転体１・軸心部１１・枢設部１２・カッター２が互いに組合されることにより、本考案は、双方向使用が可能で操作しやすいという実用進歩性を達成する。
【符号の説明】
【００１７】
１回転体
１ｂ回転体
１１軸心部
１２枢設部
２カッター
２ａカッター
２ｂカッター
２１刃部
３ｂ防護ケース
３１ｂ回避スペース
３２ｂ作業用孔
【図１】
0003201563.tif 000003
【図２】
0003201563.tif 000004
【図３】
0003201563.tif 000005
【図４】
0003201563.tif 000006
【図５】
0003201563.tif 000007
【図６】
0003201563.tif 000008
【図７】
0003201563.tif 000009
【図８】
0003201563.tif 000010
【図９】
0003201563.tif 000011